(57)【要約】【課題】無電極ランプの最冷点用突起部の周囲温度が上昇し難く、最冷点用突起部の温度が上昇し難い無電極ランプ用保持具および照明器具を提供する。【解決手段】本発明の無電極ランプ用保持具３は、筐体３１を備えるとともに、筐体３１内に、バルブ本体２２を収納するバルブ本体収納部５４と空隙部５５とに仕切る反射部材５を備える。又、反射部材５は、バルブ２１の最冷点用突起部２７と対向する突起挿入孔５２ａを有する対向壁５２を備える。そして、この突起挿入孔５２ａに、最冷点用突起部２７が挿入される。又、筐体３１には、外部と空隙部５５とを連通するように開けられた外気導入孔６１及び排気孔６２が設けられている。【選択図】図１
2009205833.tif 000002
【特許請求の範囲】
【請求項１】
電球状のバルブ本体とそのバルブ本体の外周側に突設された最冷点用突起部とを備えた無電極ランプを、枠体内に収納するようにして保持する無電極ランプ用保持具であって、
前記枠体内には、その枠体内を、前記バルブ本体を収納するバルブ本体収納部と空隙部とに仕切る反射部材が設けられ、
この反射部材は、前記最冷点用突起部と対向する対向壁を備え、この対向壁には、前記バルブ本体収納部と空隙部とを連通するようにして前記最冷点用突起部を挿入可能にあけられた突起挿入孔が設けられ、
前記枠体には、外部と空隙部とを連通するように開けられた外気導入孔及び排気孔が設けられていることを特徴とする無電極ランプ用保持具。
【請求項２】
前記外気導入孔は、前記突起挿入孔よりも下方側になるように配設され、
前記排気孔は、前記外気導入孔よりも上方側、且つ、前記突起挿入孔よりも上方側になるように配設されていることを特徴とする請求項１に記載の無電極ランプ用保持具。
【請求項３】
前記空隙部における外気導入孔と突起挿入孔との間に、筒状体が設けられ、
前記筒状体は、その軸方向が、外気導入孔から突起挿入孔の方向にほぼ一致するように配設されていることを特徴とする請求項１又は２に記載の無電極ランプ用保持具。
【請求項４】
前記筒状体は、内筒と、内筒の外周側に配設された外筒とを備え、
前記内筒と外筒とは、互いに相対移動可能とされているとともに、空隙部の温度が設定温度以上になると、筒移動手段によって、一方が他方に対して移動して筒状体全体の軸方向の長さが長くなるように構成されていることを特徴とする請求項３に記載の無電極ランプ用保持具。
【請求項５】
前記空隙部に、空隙部内における空気の流れの方向を制御する流れ方向制御部材が設けられていることを特徴とする請求項１〜４の何れか一項に記載の無電極ランプ用保持具。
【請求項６】
前記流れ方向制御部材は、空気を案内する空気案内面を備え、
この空気案内面の一端は、突起挿入孔の上方側に配設され、その他端は、排気孔の上側方から下側方までの範囲を移動可能に配設されているとともに、空隙部内の温度が設定温度以上になると、案内面移動手段によって、排気孔の下側方から上側方に移動するように構成されていることを特徴とする請求項２〜５の何れか一項に記載の無電極ランプ用保持具。
【請求項７】
前記枠体には、外気導入孔と排気孔との少なくとも一つを開閉可能な蓋体と、温度変化に応じて変形するバイメタルとが設けられ、
前記バイメタルは、空隙部内が設定温度より高くなるに伴って変形するに際して、外気導入孔又は排気孔を閉めた蓋体を開かせることができるように構成されていることを特徴とする請求項１〜６の何れか一項に記載の無電極ランプ用保持具。
【請求項８】
前記蓋体は、複数の板状のルーパーを備え、
前記ルーパーは、夫々、枠体に、外気導入孔又は排気孔を開けた開位置から閉めた閉位置での範囲を回転し得るように取り付けられ、
前記バイメタルは、空隙部内が設定温度より高くなると、ルーパー夫々を、閉位置から開位置まで回転させるように変形することを特徴とする請求項７に記載の無電極ランプ用保持具。
【請求項９】
請求項１〜８のいずれか一項に記載の無電極ランプ用保持具と、その無電極ランプ用保持具に保持された前記無電極ランプとを備えていることを特徴とする照明器具。
【発明の詳細な説明】
【技術分野】
【０００１】
本発明は、最冷点用突起部を有し放電ガスが封入されたバルブを備えた無電極ランプを保持する無電極ランプ用保持具及び照明器具に関する。
【背景技術】
【０００２】
従来から、最冷点用突起部を有し放電ガスが封入されたバルブを備えた無電極ランプは広く知られている。この無電極ランプとして、例えば水銀滴を使用するとともに、バルブの一部に最冷点用突起部を設け、水銀蒸気圧を制御して光出力の特性を損なわないようにしたものが提案されている（特許文献１参照）。
【特許文献１】特開２００１−３２５９２０号公報
【発明の開示】
【発明が解決しようとする課題】
【０００３】
しかしながら、このような最冷点用突起部を有するバルブを備えた無電極ランプを枠体内に収納すると、以下のような問題点がある。即ち、無電極ランプの発光に伴う発熱によって、枠体内に収納した無電極ランプの最冷点用突起部の周囲温度が上昇する。最冷点用突起部の周囲温度が上昇すると、最冷点用突起部の温度も上昇し、その結果、放電ガスに含まれる水銀蒸気の圧が変化して光出力が低下し、良好な光量が得られないおそれがある。
【０００４】
本発明は、無電極ランプの最冷点用突起部の周囲温度が上昇し難く、最冷点用突起部の温度が上昇し難い無電極ランプ用保持具および照明器具を提供することを目的とする。
【課題を解決するための手段】
【０００５】
前記課題を解決するために、本発明の請求項１は、電球状のバルブ本体とそのバルブ本体の外周側に突設された最冷点用突起部とを備えた無電極ランプを、枠体内に収納するようにして保持する無電極ランプ用保持具であって、前記枠体内には、その枠体内を、前記バルブ本体を収納するバルブ本体収納部と空隙部とに仕切る反射部材が設けられ、この反射部材は、前記最冷点用突起部と対向する対向壁を備え、この対向壁には、前記バルブ本体収納部と空隙部とを連通するようにして前記最冷点用突起部を挿入可能にあけられた突起挿入孔が設けられ、前記枠体には、外部と空隙部とを連通するように開けられた外気導入孔及び排気孔が設けられていることを特徴とする無電極ランプ用保持具を提供する。
【０００６】
請求項２のように、前記外気導入孔は、前記突起挿入孔よりも下方側になるように配設され、前記排気孔は、前記外気導入孔よりも上方側、且つ、前記突起挿入孔よりも上方側になるように配設されていることが好ましい。
【０００７】
請求項３のように、前記空隙部における外気導入孔と突起挿入孔との間に、筒状体が設けられ、前記筒状体は、その軸方向が、外気導入孔から突起挿入孔の方向にほぼ一致するように配設されていることが好ましい。
【０００８】
請求項４のように、前記筒状体は、内筒と、内筒の外周側に配設された外筒とを備え、前記内筒と外筒とは、互いに相対移動可能とされているとともに、空隙部の温度が設定温度以上になると、筒移動手段によって、一方が他方に対して移動して筒状体全体の軸方向の長さが長くなるように構成されていることが好ましい。
【０００９】
請求項５のように、前記空隙部に、空隙部内における空気の流れの方向を制御する流れ方向制御部材が設けられていることが好ましい。
【００１０】
請求項６のように、前記流れ方向制御部材は、空気を案内する空気案内面を備え、この空気案内面の一端は、突起挿入孔の上方側に配設され、その他端は、排気孔の上側方から下側方までの範囲を移動可能に配設されているとともに、空隙部内の温度が設定温度以上になると、案内面移動手段によって、排気孔の下側方から上側方に移動するように構成されていることが好ましい。
【００１１】
請求項７のように、前記枠体には、外気導入孔と排気孔との少なくとも一つを開閉可能な蓋体と、温度変化に応じて変形するバイメタルとが設けられ、前記バイメタルは、空隙部内が設定温度より高くなるに伴って変形するに際して、外気導入孔又は排気孔を閉めた蓋体を開かせることができるように構成されていることが好ましい。
【００１２】
請求項８のように、前記蓋体は、複数の板状のルーパーを備え、前記ルーパーは、夫々、枠体に、外気導入孔又は排気孔を開けた開位置から閉めた閉位置での範囲を回転し得るように取り付けられ、前記バイメタルは、空隙部内が設定温度より高くなると、ルーパー夫々を、閉位置から開位置まで回転させるように変形することが好ましい。
【００１３】
又、本発明の請求項９は、前記課題を解決するために、請求項１〜８のいずれか一項に記載の無電極ランプ用保持具と、その無電極ランプ用保持具に保持された前記無電極ランプとを備えていることを特徴とする照明器具を提供する。
【発明の効果】
【００１４】
請求項１によれば、枠体内をバルブ本体収納部と空隙部とに仕切った反射部材の対向壁に突起挿入孔が設けられているとともに、枠体には、外部と空隙部とを連通するように開けられた外気導入孔及び排気孔が設けられている。
【００１５】
これにより、最冷点用突起部を突起挿入孔に挿入してバルブ本体収納部と仕切った空隙部に臨ませることができ、無電極ランプの発光に伴う発熱によってバルブ本体収納部内の温度が上昇しても、最冷点用突起部の温度の上昇を抑えることができる。
【００１６】
又、空隙部が温度上昇し始めると、空隙部内の空気を排気孔から外部に出すことができるとともに、外気導入孔から外気を導入できる。これにより、空隙部内の温度が上昇し難くでき、最冷点用突起部の温度上昇を抑えることができる。よって、放電ガスに含まれる水銀蒸気の圧が変化して光出力が低下するようなことを抑えることができる。
【００１７】
請求項２によれば、外気導入孔は、突起挿入孔よりも下方位置に配設され、排気孔は、外気導入孔よりも上方位置、且つ、突起挿入孔よりも上方位置に配設されている。これにより、外気導入孔から導入した外気を、突起挿入孔の近傍を通過して排気孔に流すことができる。従って、突起挿入孔に挿入した最冷点用突起部に、外気を当て易くでき、最冷点用突起部の温度上昇を、より確実に抑えることができる。
【００１８】
請求項３によれば、空隙部における外気導入孔と突起挿入孔との間に、軸方向が外気導入孔から突起挿入孔の方向を向くように配設した筒状体が設けられているため、外気導入孔から導入した外気を、突起挿入孔側に案内できる。これにより、突起挿入孔に挿入した最冷点用突起部に外気を、より当て易くでき、最冷点用突起部の温度上昇を、より確実に抑えることができる。
【００１９】
請求項４によれば、内筒と外筒とは、空隙部の温度が設定温度以上になると、筒移動手段によって、筒状体全体の軸方向の長さが長くなるように、一方が他方に対して移動するため、外気導入孔から導入した外気を、突起挿入孔に、確実に案内できる。従って、突起挿入孔に挿入した最冷点用突起部に外気を、より当て易くでき、最冷点用突起部の温度上昇を、より確実に抑えることができる。
【００２０】
一方、空隙部の温度が設定温度よりも低くなると、筒状体全体の軸方向の長さが元の状態に戻るようにすれば、外気導入孔から入ってきた外気を、分散させることができる。これにより、外気を最冷点用突起部に当てにくくでき、突起挿入孔の最冷点用突起部の温度が低くなり過ぎることのないようにできる。従って、最冷点用突起部の温度が低くなり過ぎて水銀蒸気の圧が変化して光出力の低下を抑えることができる。
【００２１】
請求項５によれば、空隙部内における空気の流れを制御する流れ方向制御部材によって、例えば外気導入孔から導入した外気を、突起挿入孔の近傍を通過して排気孔に流れるように案内制御すれば、空隙部内における空気の流れを良くできる。これにより、空隙部内における空気を効率良く交換でき、空隙部の温度上昇を、より確実に抑えることができる。
【００２２】
請求項６によれば、流れ方向制御部材の空気案内面の他端は、案内面移動手段によって、空隙部内の温度が設定温度以上になると、排気孔の下側方側から上側方側に移動する。これにより、外気導入孔から導入した外気を、突起挿入孔の近傍を通過して排気孔に出すように案内制御でき、空隙部内における空気の流れを良くできる。これにより、空隙部内における空気を効率良く交換でき、空隙部の温度上昇を、より確実に抑えることができる。
【００２３】
一方、空隙部内の温度が設定温度よりも低い場合には、空気案内面の他端が案内面移動手段によって排気孔の下側方側に戻るようにすれば、空隙部内の空気は、空気案内面を伝って排気孔から出難くなって空隙部内を循環する。その結果、空隙部内の空気の交換が行われ難く、新たに外気導入孔から入ってくる外気を少なくできる。従って、空隙部の温度低下を抑え、最冷点用突起部に外気が当たることによる温度低下を抑えることができる。よって、最冷点用突起部の温度が低くなり過ぎて水銀蒸気の圧が変化して光出力の低下を抑えることができる。
【００２４】
請求項７及び８によれば、蓋体は、開閉手段によって、空隙部内が設定温度以上になると外気導入孔又は排気孔を開けるため、外気導入孔から外気を導入でき、空隙部内の温度を上昇し難くできる。
【００２５】
一方、空隙部内の温度が設定温度よりも低くなると、蓋体が、開閉手段によって、外気導入孔又は排気孔を閉めるようにすれば、外気導入孔から外気が入ってくるのを止めることができる。従って、空隙部の温度低下を抑え、最冷点用突起部に外気が当たることによる温度低下を抑えることができる。よって、最冷点用突起部の温度が低くなり過ぎて水銀蒸気の圧が変化して光出力の低下を抑えることができる。
【００２６】
請求項９によれば、無電極ランプの発光に伴う発熱によっても最冷点用突起部の温度が上昇し難く光出力の特性を損なうおそれが少ない照明器具を提供できる。
【発明を実施するための最良の形態】
【００２７】
以下、本発明を実施するための最良の形態について、図面を参照しながら詳細に説明する。図１は、第１実施形態の照明器具の正面図、図２は、その照明器具の左側面図、図３は、その照明器具に用いる無電極ランプの拡大断面図である。
【００２８】
第１実施形態の照明器具１は、図１に示すように無電極ランプ２と、無電極ランプ用保持具３と、点灯回路４とを備えている。
【００２９】
尚、無電極ランプ２は、後述の無電極ランプ用保持具３の筐体３１内に収納されており、正面図や側面図に表れないが、図１、図２では、説明の都合上、実線で表している。以下の、図４、図５、図１０、図１１、図１４において同じである。
【００３０】
無電極ランプ２は、図３に示すように、ガラス製の電球状のバルブ２１を備えている。バルブ２１は、バルブ本体２２と、バルブ本体２２の軸方向の先端頂部２１ｂに設けられた最冷点用突起部２７とから構成されている。
【００３１】
このバルブ本体２２の軸方向の基端部２１ａは、口金２３に連結されている。バルブ本体２２の中心軸部には、基端側から軸方向の先端側に凹まれるようにして形成されたキャビティ２４と、このキャビティ２４の底部分２４ａから開口部分２４ｂに向かって延在する排気細管２５とが一体的に形成されている。
【００３２】
キャビティ２４内には、排気細管２５に挿入された状態の円筒状のシリンダ２６が設けられている。このシリンダ２６は、点灯回路４と電気的に接続されるカプラ２８の一部を構成し、キャビティ２４の開口部分２４ｂから外部に突出して、口金２３に形成された穴に嵌め合わされている。
【００３３】
又、カプラ２８は、口金２３に嵌合されているとともに、無電極ランプ２の基端側に設けられた板状の放熱板３０に接続されている。
【００３４】
バルブ本体２２の内面には、図示しないが保護膜と蛍光体膜との２層が形成されている。また、キャビティ２４のバルブ本体２２内の周面にも、保護膜と蛍光体膜との２層が形成されている。
【００３５】
又、キャビティ２４内の上部には、上記シリンダ２６の外周に嵌め込まれた状態でフェライトコア２９と誘導コイル２０とが設けられている。フェライトコア２９は、誘導コイル２０に通電する高周波電流が数百ＫＨｚという低い周波数であるために必要とするものである。
【００３６】
バルブ本体２２内には、不活性ガスや水銀等の放電ガスが封入されている。なお、不活性ガスとしては、例えばネオン、アルゴン、クリプトン、キセノンが挙げられる。また、この実施形態の排気細管２５内には、総量が略２０ｍｇ、重量比で５０：５０の亜鉛・水銀化合物が収納され、バルブ本体２２内に水銀を放出させることができるようになっている。
【００３７】
最冷点用突起部２７は、ランプ２の周囲温度が一定の状態でこのランプ２を点灯させた場合にバルブ本体２２の内部で温度が最も低い最冷点を構成する部分として形成されたもので、バルブ本体２２の先端頂部から軸方向の外周側に突設されている。又、この実施形態の最冷点用突起部２７は、先端に行くに従って、漸次径が小さくなる円錐状に形成されている。
【００３８】
次に、無電極ランプ用保持具３について説明する。無電極ランプ用保持具３は、図１に示すように、箱状の筐体３１と、筐体３１の下面側に配設された透光性パネル３３とを備えている。
【００３９】
筐体３１は、この実施形態では、上下左右及び前後に夫々、側壁を備えている。上側壁３１ａの内面には、無電極ランプ２の基端側を保持したランプ保持部材１１が取り付けられており、これにより、筐体３１の内部における左部側に、無電極ランプ２が収納されて保持されている。
【００４０】
又、筐体３１の内部における左部側には、反射部材５が設けられている。反射部材５は、湾曲状の湾曲壁５１と、湾曲壁５１の左右両側夫々に配設された左反射側壁５２、右反射側壁５３とを備えている。これらの反射部材５によって、筐体３１内が、バルブ本体２２を収納するバルブ本体収納部５４と空隙部５５とに仕切られている。
【００４１】
又、左反射側壁５２の略中央部には、バルブ２１の最冷点用突起部２７を挿入する突起挿入孔５２ａが設けられている。この突起挿入孔５２ａは、バルブ本体収納部５４と空隙部５５とを連通するように、左反射側壁５２の右面から左面に貫通するようにあけられている。
【００４２】
そして、このように形成された突起挿入孔５２ａに、バルブ２１の最冷点用突起部２７が、バルブ本体収納部５４側から入れられて空隙部５５に出されている。
【００４３】
また、図１及び図２に示すように筐体３１の下側壁３１ｂにおける突起挿入孔５２ａの下方側に、空隙部５５に外気を導入するための外気導入孔６１が設けられている。この外気導入孔６１は、空隙部５５と外部とが連通するように、下側壁３１ｂの外面から内面に貫通されている。
【００４４】
又、筐体３１の前側壁３１ｃ及び後側壁３１ｄにおける突起挿入孔５２ａの上方側に、空隙部５５内の空気を外部に出す（排気）するための排気孔６２が設けられている。排気孔６２は、空隙部５５と外部とが連通するように、前側壁３１ｃ及び後側壁３１ｄ夫々の外面から内面に貫通されている。
【００４５】
透光性パネル３３は、反射部材５の湾曲壁５１の下方側に配設され、筐体３１の下側壁３１ｂに取り付けられている。
【００４６】
詳しくは、筐体３１の下側壁３１ｂにおける反射部材５の湾曲壁５１の下方側の一部が開口されている。そして、透光性パネル３３は、その下側壁３１ｂの開口を覆うように配設され、その状態で、下側壁３１ｂに取り付けられている。これにより、無電極ランプ２の光を直接又は反射部材５から反射された反射光を下方側に透光できるようになっている。
【００４７】
点灯回路４は、高周波電流を発生させその発生させた高周波電流を無電極ランプ２に供給するためのもので、筐体３１の内部における右部側に配設されている。
【００４８】
このように構成された第１実施形態の照明器具１は、例えば天井面に、筐体３１の下側壁３１ｂが取り付けられるようにして装着され、バルブ２１の軸方向がほぼ水平状態で使用される。
【００４９】
そして、この状態で、点灯回路４から高周波電流を無電極ランプ２の誘導コイル２０（図３参照）に通電すると、誘導コイル２０の周囲に誘導電界（高周波電磁界）が発生する。この誘導電界をバルブ２１に作用させることでプラズマを発生させ、水銀原子から発生する紫外線がバルブ２１の蛍光体膜で可視光に変換され、バルブ２１を透過する。又、その光は、透光性パネル３３を直接透光し又は反射部材５を介して透光して下方に放射される。
【００５０】
又、その際、ランプ本体収納部５４内は、無電極ランプ２の発光に伴う発熱によって温度上昇するが、最冷点用突起部２７は、突起挿入孔５２ａから空隙部５５に出されているため、最冷点用突起部２７の温度上昇を抑えることができる。
【００５１】
また、空隙部５５が、ランプ本体収納部５４の熱によって温度が上がると、空隙部５５内の空気が排気孔６２から外部に出るとともに、外気が外気導入孔６１から空隙部５５内に導入される。これにより、空隙部５５内の温度上昇が抑えられ、バルブ２１の最冷点用突起部２７の温度上昇を抑えることができる。
【００５２】
しかも、外気が外気導入孔６１から排気孔６２に流れる際、外気導入孔６１が最冷点用突起部２７の下方位置に配設されているため、外気を最冷点用突起部２７に当てることができる。これにより、より確実に、最冷点用突起部２７の温度上昇を抑えることができる。
【００５３】
従って、最冷点用突起部２７の温度上昇を抑え、バルブ２１内に封入された水銀蒸気の圧が変化して光出力が低下するのを抑えることができる。
【００５４】
次に、本発明の第２実施形態の照明器具について、図４〜図６に基づいて説明する。第２実施形態の照明器具１００における空隙部５５には、外気を外気導入孔６１から突起挿入孔５２ａに導く円筒状の筒状体１０５が設けられている。
【００５５】
この筒状体１０５は、その下端（一端）が、その内部の孔を外気導入孔６１に合致させるようにして筐体３１の下側壁３１ｂに取り付けられ、上端（他端）が、その孔が突起挿入孔５２ａの下方近傍位置に配設されている。
【００５６】
又、このように配設された筒状体１０５の軸方向は、外気導入孔６１と突起挿入孔５２ａとを結ぶ線に略一致している。その他は、先の第１実施形態のものと同構成を採っている。
【００５７】
このようにして、空隙部５５における外気導入孔６１から突起挿入孔５２ａの間に、筒状体１０５が配設された第２実施形態においては、外気導入孔６１から外気を、分散させることなく突起挿入孔５２ａまで導くことができる。これにより、効率的に最冷点用突起部２７に当てることができ、最冷点用突起部２７の温度上昇を確実に抑えることができる。
【００５８】
次に、本発明の第３実施形態の照明器具２００について、図７、図８に基づいて説明する。第３実施形態の照明器具２００における空隙部５５には、外気を外気導入孔６１から突起挿入孔５２ａ側に導く筒状体２５０と、空隙部５５内における空気の流れの方向を制御する流れ方向制御部材２０６が設けられている。
【００５９】
この第３実施形態における筒状体２５０は、軸方向の長さを伸縮できるものからなる。詳しくは、筒状体２５０は、内筒２５１と、内筒２５１の外周側に軸方向に移動可能に配設された外筒２５２と、外筒２５２を移動させる筒移動手段としての操作片２５３とを備えている。
【００６０】
内筒２５１は、その下端（一端）が、内部の孔を外気導入孔６１に合致させるようにして筐体３１の下側壁３１ｂに取付られている。また、内筒２５１の上端（他端）は、その孔が突起挿入孔５２ａの下方位置に配設されている。
【００６１】
操作片２５３は、２つの金属片を上下に張り合わせた上下２層からなる板状のものから構成されている。下層の金属片は、上層の金属片よりも熱膨張率が大きいものが用いられており、下層の金属片と上層の金属片とで、バイメタルを構成している。この実施形態では、設定温度で、ほぼ真っ直ぐな平板状を呈するようになっている。
【００６２】
そして、この操作片２５３の基端（一端）は、図７に示すように、筐体３１の下側壁３１ｂに取り付けられ、先端（他端）は、外筒２５２の下端に設けられた鍔２５２ａの下方側に配設されている。
【００６３】
流れ方向制御部材２０６は、２つの所定幅の湾曲板状のものから構成されている。流れ方向制御部材２０６は、夫々、下面側に空気を案内する空気案内面２０６ａを備えている。
【００６４】
そして、これらの流れ方向制御部材２０６は、夫々、空気案内面２０６ａが突起挿入孔５２ａの上方位置から左右夫々の排気孔６２の上側方位置まで延ばされるようにして、筐体３１の左側壁３１ｅに取り付けられている。その他は、先の第１実施形態のものと同構成を採っている。
【００６５】
このように構成された第３実施形態においては、空隙部５５内の温度が設定温度よりも低い場合、操作片２５３は、図７に示したように、ほぼ板状の状態を保持し、外筒２５２は操作片２５３によってほとんど持ち上げられない。従って、筒状体２５０全体の軸方向の長さは、図７に示した短い状態を維持する。
【００６６】
これにより、外気導入孔６１から外気を、分散させることができ、外気を最冷点用突起部２７に当てにくくでき、突起挿入孔５２ａの最冷点用突起部２７の温度が低くなり過ぎることのないようにできる。従って、最冷点用突起部２７の温度が低くなり過ぎて水銀蒸気の圧が変化して光出力の低下を抑えることができる。
【００６７】
一方、空隙部５５内の温度が設定温度以上になると、図８に示すように、操作片２５３は、下層の金属片が上層の金属片よりも温度上昇に伴う伸びが大きいために湾曲状に撓み、操作片２５３の先端が上方に上がる。そして、その上方に上がる際に、外筒２５２を持ち上げ、外筒２５２を上方に移動させる。
【００６８】
これにより、筒状体２５０は、全体の軸方向の長さが長くなり、外筒２５２の上端が突起挿入孔５２ａの位置までくる。従って、外気導入孔６１から外気を、分散させることなく突起挿入孔５２ａまで導くことができ、効率的に最冷点用突起部２７に当てることができ、最冷点用突起部２７の温度上昇を抑えることができる。
【００６９】
又、最冷点用突起部２７に当たった空気は、流れ方向制御部材２０６の空気案内面２０６ａを伝うようにして左右夫々の排気孔６２まで案内され、空隙部５５内を循環することなく排気孔６２から外に出る。従って、空隙部５５内の空気の交換効率を上げることができ、外気導入孔６１から多くの量の外気を入れて最冷点用突起部２７に当てることができる。
【００７０】
尚、上記設定温度は、この実施形態では、３０°Ｃとしている。図１６に示すように、最冷点用突起部２７の周囲温度が、ほぼ３０°Ｃのとき、無電極ランプ２の相対光量が最も良いため、この実施形態では、上記設定温度を３０°Ｃとしているが、これに限定されず、適宜変更できる。
【００７１】
次に、本発明の第４実施形態の照明器具３００について、図９、図１０に基づいて説明する。第４実施形態の照明器具３００における空隙部５５には、２つの流れ方向制御部材３０６が設けられている。
【００７２】
この第４実施形態における流れ方向制御部材３０６は、空気案内面３０６ａを移動させる案内面移動手段を備えている。この実施形態の案内面移動手段は、バイメタルの温度変化に伴う変形によって構成されている。
【００７３】
詳しくは、流れ方向制御部材３０６は、下層の金属片とそれよりも熱膨張率が小さい上層の金属片との２つの金属片を上下に張り合わせたバイメタルから構成されている。
【００７４】
そして、流れ方向制御部材３０６は、夫々、一端が突起挿入孔５２ａの上方側に配設された状態で、筐体３１の左側壁３１ｅに固定されている。他端は、設定温度（この実施形態では３０°Ｃ）で、左右夫々の排気孔６２の下側方側に配設された状態とされている。これにより、流れ方向制御部材３０６の下面側に形成された空気案内面３０６ａが、突起挿入孔５２ａの上側方側の位置から左右夫々の排気孔６２の下側方側の位置まで延ばされている。
【００７５】
このように構成された第４実施形態においては、空隙部５５内の温度が設定温度又は設定温度よりも低い状態では、図９に示すように空気案内面３０６ａが突起挿入孔５２ａの上方位置から左右夫々の排気孔６２の下側方位置まで延ばされている。
【００７６】
従って、例えば外気導入孔６１から入ってきた外気Ｇ１は、図１０に示すように、空気案内面３０６ａを伝って排気孔６２から出難くなって空隙部５５内を循環する。その結果、空隙部５５内の空気の交換が行われ難く、新たに外気導入孔６１から入ってくる外気が少なくなり、空隙部５５の温度低下を抑えるとともに、最冷点用突起部２７に外気が当たることによる温度低下を抑えることができる。
【００７７】
一方、空隙部５５内の温度が設定温度以上になると、図９中に一点鎖線で示すように、流れ方向制御部材３０６は、下層の金属片が上層の金属片よりも温度上昇に伴う伸びが大きいために変形し始め、先端側が排気孔６２よりも上方側に移動を始める。
【００７８】
これにより、外気導入孔６１から入ってきた外気Ｇ２は、図１０に示すように最冷点用突起部２７に当たった後、流れ方向制御部材３０６の空気案内面３０６ａを伝うようにして左右夫々の排気孔６２まで案内され、排気孔６２から外に出易くなる。従って、空隙部５５内の空気の交換効率を上げることができ、外気導入孔６１から多くの量の外気を入れて最冷点用突起部２７に当てることができる。
【００７９】
次に、本発明の第５実施形態の照明器具４００について、図１１〜図１３に基づいて説明する。第５実施形態の照明器具４００における空隙部５５には、排気孔６２を開閉する蓋体４７１が設けられている。
【００８０】
この実施形態の蓋体４７１は、支持部４７２によって支持されている。この支持部４７２は、２つの長尺状の金属片を張り合わせたバイメタルから構成され、温度変化により長手方向に湾曲状に変形する。
【００８１】
そして、この支持部４７２は、その一端が蓋体４７１に連結され、設定温度（この実施形態では３０°Ｃ）で、蓋体４７１が排気孔６２を塞いだ状態で支持している。支持部４７２の他端は、筐体３１の前側壁に固定されている。
【００８２】
このように構成された第５実施形態においては、空隙部５５内の温度が設定温度又は設定温度よりも低い状態では、図１２に示すように蓋体４７１は排気孔６２を塞いだ閉位置に配設されている。
【００８３】
従って、空隙部５５内の空気は、排気孔６２から出ることができず、空隙部５５内の空気の交換が行われ難く、新たに外気導入孔６１から入ってくる外気が少なくなる。これにより、空隙部５５の温度低下を抑えるとともに、最冷点用突起部２７に外気が当たることによる温度低下を抑えることができる。
【００８４】
一方、空隙部５５内の温度が設定温度以上になると、図１３に示すように、支持部４７２は、湾曲状に撓み始め、蓋体４７１は排気孔６２を開いた開位置に配設される。従って、支持部４７２の温度変化による変形によって蓋体４７１は開閉操作される。
【００８５】
排気孔６２が開くと、空隙部５５内の空気は、排気孔６２から出るとともに、外気導入孔６１から外気を入り込ませることができる。従って、空隙部５５内の空気の交換効率を上げることができ、最冷点用突起部２７の温度上昇を抑えることができる。
【００８６】
尚、この第５実施形態では、排気孔６２を開閉する蓋体４７１を設けているが、この形態のものに限らず、排気孔６２を開閉する蓋体４７１に代えて、外気導入孔６１を開閉する蓋体を設け、或いは、それらの両方を設けるようにしても良い。
【００８７】
又、この第５実施形態において、開けるとは、排気孔６２を全開する場合に限らず、排気孔６２と蓋体４７１とに隙間ができたような場合も含む。
【００８８】
又、蓋体は、上記形態のものに限らず、例えば図１４、図１５に示すように、複数のルーパー５０８から構成しても良い。詳しくは、ルーパー５０８を、例えば排気孔６２を塞いだ状態から開いた状態まで回転するように、筐体３１に軸止する。又、空隙部５５内の温度が設定温度よりも高くなると、バイメタル（図示せず）によって、ルーパー５０８を閉状態から開状態に回転させて排気孔６２を開くようにする。
【００８９】
又、上記実施形態では、照明器具は、無電極ランプと、無電極ランプ用保持具と、点灯回路とを備えたものから構成しているが、この形態のものに限らず、適宜変更できる。例えば照明器具を、無電極ランプと、無電極ランプ用保持具とから構成し、照明器具とは別途に設けた点灯回路に照明器具を接続するようにしても良い。
【図面の簡単な説明】
【００９０】
【図１】本発明の第１実施形態に係る照明器具の正面図である。
【図２】その第１実施形態の照明器具の側面図である。
【図３】その第１実施形態の照明器具に用いる無電極ランプの拡大断面図である。
【図４】第２実施形態に係る照明器具の正面図である。
【図５】その第２実施形態の照明器具の側面図である。
【図６】その第２実施形態の照明器具の要部を拡大した断面説明図である。
【図７】第３実施形態に係る照明器具の断面説明図である。
【図８】第３実施形態における筒状体が伸びた状態の説明図である。
【図９】第４実施形態に係る照明器具の断面説明図である。
【図１０】第４実施形態の流れ方向制御部材の動作の説明図である。
【図１１】第５実施形態に係る照明器具の断面説明図である。
【図１２】その第５実施形態の照明器具の要部を拡大した説明図である。
【図１３】第５実施形態における蓋体が排気孔を開けた状態の説明図である。
【図１４】他の実施形態の蓋体を有する照明器具の正面図である。
【図１５】図１４のＸＶ−ＸＶ線断面図である。
【図１６】最冷点用突起部の周囲温度と、無電極ランプの相対光量との関係を表したグラフである。
【符号の説明】
【００９１】
１、１００、２００、３００、４００    照明器具
２    無電極ランプ
３    無電極ランプ用保持具
２１    バルブ
２２    バルブ本体
２７    最冷点用突起部
５２ａ    突起挿入孔
５４    バルブ本体収納部
５５    空隙部
６１    外気導入孔
６２    排気孔
【図１】
2009205833.tif 000003
【図２】
2009205833.tif 000004
【図３】
2009205833.tif 000005
【図４】
2009205833.tif 000006
【図５】
2009205833.tif 000007
【図６】
2009205833.tif 000008
【図７】
2009205833.tif 000009
【図８】
2009205833.tif 000010
【図９】
2009205833.tif 000011
【図１０】
2009205833.tif 000012
【図１１】
2009205833.tif 000013
【図１２】
2009205833.tif 000014
【図１３】
2009205833.tif 000015
【図１４】
2009205833.tif 000016
【図１５】
2009205833.tif 000017
【図１６】
2009205833.tif 000018